(57)【要約】【課題】  小型且つ簡易な構成でカードの板厚方向の規制と挿入および排出方向での保持を行えるカードコネクタを提供すること。【解決手段】  装填部材を構成するスライダ４１に、上部案内壁４３，４４と保持板ばね５２，５２とを設けた。カードＣ１の前端部側の案内部６，６が、スライダ４１の右側部４１Ａ，左側部４１Ｂに形成された上部案内壁４３，４４の下側に入り込んで係合することでカードＣ１は板厚方向に規制される。さらにロック凹部８，８に保持板ばね５２，５２の保持部５３，５３が係合することで、カードＣ１はスライダ４１に対して挿入および排出方向で保持される。簡易な構成でカードＣ１の板厚方向の規制と挿入および排出方向での保持を行うことが可能となる。【選択図】図５
2009140890.tif 000002
【特許請求の範囲】
【請求項１】
ケース内に電子回路が収納されたカードが装着されるカードコネクタにおいて、
前記カードが挿入される装填部材が設けられ、前記カードには、カードの前端から後方に向かって延びる段差状の案内溝と、前記案内溝の後方に設けられたロック凹部とが、前記カードの幅方向の両側にそれぞれ設けられており、
前記装填部材には、前記カードの前端部側にて前記案内溝と係合する規制部と、前記ロック凹部に係合してカードを保持する保持部材と、が設けられており、
前記規制部と前記保持部材とにより、前記カードの板厚方向への移動が規制されることを特徴とするカードコネクタ。
【請求項２】
前記保持部材が、装填部材の内壁面に、内方に向かって弾性変形自在に支持された板ばねであり、この板ばねの自由端に前記ロック凹部に係合する係合部が形成されている請求項１記載のカードコネクタ。
【請求項３】
前記装填部材は、前記カードを保持した状態でカードとともに移動可能なスライダである請求項１記載のカードコネクタ。
【請求項４】
前記スライダを排出方向に付勢する付勢部材と、前記スライダを所定の位置に停止させるロック機構と、からなる排出機構が設けられており、
前記スライダに前記規制部と前記保持部材が設けられている請求項３記載のカードコネクタ。
【発明の詳細な説明】
【技術分野】
【０００１】
本発明は、カードコネクタに係わり、特にカードが挿入されたときの挿入方向へのロック機構と板厚方向へ規制する機構とを備えたカードコネクタに関する。
【背景技術】
【０００２】
下記の特許文献１に記載されたカード用コネクタでは、コネクタが金属製のカバー（蓋体）で覆われており、このカバーの両側面には板ばねからなる弾性部材がそれぞれ形成されている。カードがコネクタに挿入されると、弾性部材の先端に設けられた凸部が、カードの側面に形成された凹部に係合して保持される。
【特許文献１】特開２００６−２５３０２２号公報
【発明の開示】
【発明が解決しようとする課題】
【０００３】
特許文献１に記載されたカードコネクタでは、カードを保持するための弾性部材がカバー（蓋体）に形成され、さらにカードの板厚方向の動きがカバーの下面で規制される構成である。
【０００４】
しかし、このようなカバー（蓋体）を利用したカードコネクタでは、カード側の凹部に係合する際に変形した弾性部材の先端が、カバーの側面よりも外方向に移動し、コネクタの幅方向の最大寸法を外れるため、小型化しづらいという問題がある。例えば、このようなコネクタを搭載する機器側では、あらかじめ弾性部材の移動をも考慮したスペースを確保しておく必要が生じる。
【０００５】
またカードの板厚方向の動きは、カバー（蓋体）の下面で規制される構成であるが、ハウジングの底面とカバーの下面との間はカード側の端子に接続するための弾性接点なども介在し、比較的広い移動範囲が確保されている。このため、移動中のカードに傾きが生じやすく、カードの先端が何らかの部材に当接するとスムースな挿入動作が行われなくなるという問題もある。
【０００６】
本発明は上記従来の課題を解決するためのものであり、小型且つ簡易な構成でカードの板厚方向の規制と挿入および排出方向での保持を行えるカードコネクタを提供することを目的としている。
【課題を解決するための手段】
【０００７】
本発明は、ケース内に電子回路が収納されたカードが装着されるカードコネクタにおいて、
前記カードが挿入される装填部材が設けられ、前記カードには、カードの前端から後方に向かって延びる段差状の案内溝と、前記案内溝の後方に設けられたロック凹部とが、前記カードの幅方向の両側にそれぞれ設けられており、
前記装填部材には、前記カードの前端部側にて前記案内溝と係合する規制部と、前記ロック凹部に係合してカードを保持する保持部材と、が設けられており、
前記規制部と前記保持部材とにより、前記カードの板厚方向への移動が規制されることを特徴とするものである。
【０００８】
本発明では、簡易な構成でカードの板厚方向の規制と挿入および排出方向での保持を行うことができる。
【０００９】
特に、カードの前端部側と中間ないしは後端部側とを板厚方向に規制することができるため、カードの傾きを有効に防止することができ、例えばカードを安定してスムースに移動させることが可能となる。
【００１０】
上記において、前記保持部材が、装填部材の内壁面に、内方に向かって弾性変形自在に支持された板ばねであり、この板ばねの自由端に前記ロック凹部に係合する係合部が形成されたものが好ましい。
【００１１】
上記手段では、簡易な構成でカードの板厚方向への規制と挿入および排出方向での保持を行うことができる。しかも保持部材はカードコネクタの最大外形寸法の範囲内でカードを保持することができ、小型なものとすることができる。
【００１２】
また前記装填部材は、前記カードを保持した状態でカードとともに移動可能なスライダであるものが好ましい。
【００１３】
上記手段では、板厚方向の移動を規制することで、カードの傾きを防止した状態でカードの挿入または排出が可能となるため、カードを安定した姿勢でスムースに移動させることができる。
【００１４】
さらには、前記スライダを排出方向に付勢する付勢部材と、前記スライダを所定の位置に停止させるロック機構と、からなる排出機構が設けられており、
前記スライダに前記規制部と前記保持部材が設けられているものが好ましい。
上記手段では、カードを保持したスライダを簡単且つ確実に排出することができる。
【発明の効果】
【００１５】
本発明では、簡易な構成でカードの板厚方向の規制と挿入および排出方向での保持を行うことができる。
【００１６】
このため、カードを保持して移動するスライダを有するタイプのカードコネクタでは、カードの傾きを防止してスムースな移動を実現することができる。
【００１７】
またカードを側方から保持する保持部材の動きをカードコネクタの最大外形以内に収めることができるため、小型のカードコネクタとすることが可能となる。
【発明を実施するための最良の形態】
【００１８】
図１は本発明の実施の形態を示すカードコネクタの外観を示す斜視図、図２は蓋体を外した状態を示すカードコネクタの斜視図、図３はカードコネクタの分解斜視図、図４は図２のＩＶ−ＩＶ線で切断した状態を示す断面図である。図５ないし図７は蓋体を外したカードコネクタの動作状態を段階的に示すものであり、図５はイジェクト状態を示す平面図、図６はロック状態を示す平面図、図６はオーバーストローク状態を示す平面図である。
【００１９】
図８以下には、カードコネクタ２０に装着されるカードが示されている。図８はカードの平面図、図９はカードの左側面図、図１０はカードを斜め下側から示す斜視図である。
【００２０】
（カードの形状）
図８ないし図１０に示されるカードＣ１は、いわゆるマルチメディアカードなどのメモリデバイスとして使用されるものである。カードＣ１は、プラスチック製のケース１を有しており、このケース１内に、フラッシュメモリなどのメモリチップや、メモリコントローラとして機能するＩＣチップなどが収納されている。
【００２１】
図８に示すように、ケース１は、表面１ａと裏面１ｂを有している。表面１ａと裏面１ｂは互いに平行な平面であり、表面１ａと裏面１ｂの間隔がカードＣ１の厚み寸法Ｔである。図１０に示すように、裏面１ｂの前方には、複数個（１３個）の外部接続部５が露出している。外部接続部５の表面はケース１の裏面１ｂとほぼ同一面である。
【００２２】
ここで、「表面」と「裏面」とは外部接続部５を有する面と有しない面を識別するための便宜上の名称であり、カードコネクタ２０に対し、表面１ａを上向きにして装着してもよいし、裏面１ｂを上向きにして装着してもよい。
【００２３】
図８ないし図１０に示すように、ケース１は前端部１ｃと、後端部１ｄを有している。また右側部１ｅと左側部１ｆを有している。
【００２４】
図９に示すように、前端部１ｃは、表面１ａと垂直な平面であり、表面１ａと裏面１ｂとの角部には前方傾斜面２が形成されている。後端部１ｄは、表面１ａおよび裏面１ｂに垂直な平面である。右側部１ｅと左側部１ｆは、表面１ａおよび裏面１ｂと垂直な平面である。図８に示すように、前端部１ｃと右側部１ｅとの境界部および前端部１ｃと左側部１ｆとの境界部、すなわち前端部１ｃの左右両側部には、円筒面の一部である前方コーナー曲面３，３が形成されている。後端部１ｄと右側部１ｅとの境界部および後端部１ｄと左側部１ｆとの境界部、すなわち後端部１ｄの左右両側部にも、円筒面の一部である後方コーナー曲面４，４が形成されている。
【００２５】
図８に示すように、ケース１を表面１ａ側から見た平面図では、ケース１の形状は前後に延びる中心線Ｏ−Ｏを介して左右に対称の形状である。
【００２６】
ケース１の右側部１ｅと左側部１ｆには、ケース１の前端部１ｃから後端部１ｄに向かって延びる案内溝６，６が形成されている。案内溝６，６は、右側部１ｅと左側部１ｆから中心線Ｏ−Ｏに向けて窪んでいる。案内溝６，６は、右側部１ｅおよび左側部１ｆと平行で且つ右側部１ｅおよび左側部１ｆから中心線Ｏ−Ｏに向けて幅寸法Ｗ１の距離だけ内側に位置する内側面６ａ，６ａと、裏面１ｂと平行な内底面６ｃ，６ｃとを有している。そして、右側の案内溝６の後端部と右側部１ｅとの間、および左側の案内溝６の後端部と左側部１ｆとの間には、それぞれ傾斜状の段差部６ｂ，６ｂが形成されている。段差部６ｂ，６ｂは、後方に向かうにしたがって中心線Ｏ−Ｏから徐々に離れる面であり、段差部６ｂ，６ｂは平面または曲率を有する曲面である。
【００２７】
図９に示すように、案内溝６，６は、ケース１の表面１ａから裏面１ｂに向けて窪んでいる。ケース１の表面１ａから案内溝６の内底面６ｃまでの距離、すなわち案内溝６，６の表面１ａから裏面１ｂに向けた深さ寸法ｔ１は、カードＣ１の全体の厚み寸法Ｔのほぼ１／２である。また、前記案内溝６，６が表面１ａから窪んで形成された結果、それよりも裏面側には、裏面１ｂと前記内底面６ｃ，６ｃとで挟まれた部分である薄肉部７，７が形成されている。この薄肉部７，７の厚さ寸法ｔ２も、カードＣ１の全体の厚み寸法Ｔのほぼ１／２である。
【００２８】
案内溝６，６は、前端部１ｃの左右両側部にて前方に開放されている。よって、図１０に示すように、前端部１ｃの厚さ寸法は、その中央のほとんどの部分がＴであるが、両側部においては、厚さ寸法はｔ２である。図８に示すように、案内溝６，６の前後の長さ寸法Ｌ１は、ケース１の前端部１ｃから、段差部６ｂ，６ｂの後端部までの距離である。
【００２９】
図８に実線と点線とで示すように、案内溝６，６は、カードの種類に応じて長さ寸法Ｌ１が長いタイプと、短いタイプとが存在する。本発明の目的を達成する上では、いずれのタイプの案内溝６，６を用いても変わりはないため、以下においては長さ寸法Ｌ１の長いタイプを用いて説明する。
【００３０】
なお、カードコネクタ２０内には、図示しないカード識別手段が設けられている。このカード識別手段は案内溝６，６の長さの違いからカードの種類を識別する。
【００３１】
ケース１の右側部１ｅと左側部１ｆでは、案内溝６，６の後端部よりも後方へ距離Ｌ２だけ空けた位置に、ロック凹部８，８が形成されている。ロック凹部８，８の前後方向の長さ寸法Ｌ３は、前記案内溝６，６の前後方向の長さ寸法Ｌ１よりも短い。
【００３２】
ロック凹部８，８は、右側部１ｅおよび左側部１ｆよりも中心線Ｏ−Ｏ側に位置し且つ右側部１ｅおよび左側部１ｆと平行な内側端８ａ，８ａを有している。右側部１ｅから内側端８ａまでの幅寸法ならびに左側部１ｆから内側端８ａまでの幅寸法Ｗ２は、前記案内溝６，６の幅寸法Ｗ１とほぼ同じである。
【００３３】
ロック凹部８，８は前内端８ｂと後内端８ｃを有しており、前内端８ｂと後内端８ｃとの間の前後の間隔が、ロック凹部８，８の長さ寸法Ｌ３である。
【００３４】
図９と図１０に示すように、ロック凹部８，８は内底端８ｄ，８ｄを有しており、この内底端８ｄ，８ｄは、裏面１ｂと平行である。表面１ａから内底端８ｄ，８ｄまでの寸法が、ロック凹部８，８の深さ寸法ｔ３であり、この深さ寸法ｔ３は、前記案内溝６の深さ寸法ｔ１よりも大きい。
【００３５】
このカードＣ１がカードコネクタ２０に装着される際に、幅方向の左右において案内溝６，６内を通過した保持部５３，５３（図２と図３参照）がロック凹部８，８にそれぞれ係合することで、カードＣ１がカードコネクタ２０内のスライダ（装填部材）４１に保持される。
【００３６】
図９に示すように、案内溝６，６およびロック凹部８，８が、共に表面１ａから裏面１ｂに向けて厚さ寸法Ｔの途中まで窪む形状であるため、案内溝６，６内を通過した保持部５３，５３を、その直後にロック凹部８，８に係合させることができる。しかも、案内溝６，６の後端部に段差部６ｂ，６ｂが形成されているため、保持部材は段差部６ｂ，６ｂに導かれてスムースにロック凹部８，８内に係合する。
【００３７】
さらに、図９に示すように、ロック凹部８，８の深さ寸法ｔ３は、案内溝６，６の深さ寸法ｔ１よりも大きいため、案内溝６，６内を通過した保持部５３，５３が、ロック凹部８，８に入り込みやすくなる。そのため、保持部５３をロック凹部８，８に確実に係合させて、カードＣ１をカードコネクタ２０内のスライダ４１に位置決めすることができる。
【００３８】
図８に示すように、ケース１の後端部１ｄよりも少し内側には、表面１ａから窪む摘み凹部９が形成されている。後述するように、この摘み凹部９を利用すると、カードＣ１をカードコネクタ２０から引き出すことが可能となる。
【００３９】
（カードコネクタの構造）
次に、前記各種カードが装着されるカードコネクタ２０の構造を説明する。
図１および図２などに示すように、カードコネクタ２０は筐体２１を有している。筐体２１は、合成樹脂製の筐体本体２２と、金属板で形成されて筐体本体２２の上方に被せられた蓋体２３とで構成されている。
【００４０】
図２に示すように、筐体本体２２は枠体形状である。筐体本体２２は、前壁部２４、後壁部２５、右壁部２６、左壁部２７および底壁部２８が一体に形成されている。前壁部２４の上面２４ａ、後壁部２５の上面２５ａ、右壁部２６の上面２６ａならびに左壁部２７の上面２７ａは、互いに同一面である。蓋体２３の天井板２３ａは、筐体本体２２の前記各上面２４ａ，２５ａ，２６ａ，２７ａに密着するように設置されている。蓋体２３には、後側板２３ｂと右側板２３ｃおよび左側板２３ｄが設けられ、これらは天井板２３ａから直角に折り曲げられている。後側板２３ｂは、筐体本体２２の後壁部２５の外面に設置され、右側板２３ｃと左側板２３ｄは、それぞれ筐体本体２２の右壁部２６の外面と左壁部２７の外面に設置されている。
【００４１】
図１に示すように、筐体２１の前端には、挿入口２９が開口しており、カードＣ１は、この挿入口２９から筐体２１の内部に向けて挿入される。
【００４２】
図５に示すように、左壁部２７の内面の左案内面２７ｂと、前壁部２４の右案内面２４ｂとの間隔が、収納領域の幅寸法Ｗａであり、この幅寸法Ｗａは、図８に示すカードＣ１の幅寸法Ｗ０とほぼ同じか、またはわずかに大きい寸法である。
【００４３】
図５ないし図７などに示すように、筐体本体２２の右側では、底壁部２８の上面２８ｂに前後方向（（ａ）−（ｂ）方向）に延びるガイド部３４が形成されている。このガイド部３４は、前記上面２８ｂに断面凹状で形成され且つ前後方向に延びる溝である。筐体本体２２の右壁部２６の内側にはスライダ４１が設けられており、このスライダ４１が、前記ガイド部３４に沿って、前後方向（挿入方向−排出方向）へ直線的に往復移動自在に支持されている。
【００４４】
スライダ４１は、前後方向に延びる右側部４１Ａおよび左側部４１Ｂと、右側部４１Ａと左側部４１Ｂとを繋ぐ連結部４１Ｃとを有する平面「コ」の字形状（または「Ｃ」の字形状）をしている。
【００４５】
スライダ４１の右側部４１Ａの内側には右内壁面４１ａが形成され、左側部４１Ｂの内側には左内壁面４１ｂが形成されている。右内壁面４１ａは、前記前壁部２４に形成された右案内面２４ｂと同じ位置にあるか、わずかに右方向の外側の位置にある。同様に、左内壁面４１ｂは、前記前壁部２４に形成された左案内面２７ｂと同じ位置にあるか、わずかに左方向の外側の位置にある。
【００４６】
上記のように、カードＣ１の幅寸法Ｗ０は、右案内面２４ｂと左案内面２７ｂとの間の収納領域の幅寸法Ｗａと同じか、前記Ｗａよりもわずかに狭い。よって、カードＣ１は、右案内面２４ｂおよび右内壁面４１ａと、左案内面２７ｂおよび左内壁面４１ｂとの間で前後方向（（ａ）−（ｂ）方向）に案内される。
【００４７】
図２、図３および図５ないし図７に示すように、スライダ４１と筐体本体２２との間には、コイルばねなどの付勢部材Ｓ１が設けられており、スライダ４１は、前壁部２４に向けて手前側（（ｂ）側）へ付勢されている。
【００４８】
スライダ４１と筐体２１との間には、スライダ４１を奥側（（ａ）側）でロックするためのロック機構３５が設けられている。ロック機構３５は、スライダ４１の右側部４１Ａの上面に形成された溝カム４２と、筐体２１に設けられたロックピン３６とで構成されている。
【００４９】
ロックピン３６は、基端部３６ａと先端部３６ｂが直角に折り曲げられている。図５ないし図７に示すように、ロックピン３６の基端部３６ａは、筐体本体２２の前壁部２４の上部に形成された保持凹部２４ｃ内に回動自在に支持されている。ロックピン３６の先端部３６ｂは、溝カム４２内に摺動自在に挿入されている。図１に示すように、金属板で形成された蓋体２３の天井板２３ａには、右手前側にロック板ばね３７が一体に形成されている。このロック板ばね３７は、天井板２３ａの一部を切り抜いて形成された片持ち支持ばねである。前記ロックピン３６はこのロック板ばね３７によって押圧され、先端部３６ｂが溝カム４２の溝底部に押し付けられている。
【００５０】
図５ないし図７に示すように、溝カム４２は、奥側（（ａ）側）の端部に位置するロック解除部４２ａと、このロック解除部４２ａよりも手前側（（ｂ）側）に位置するロック部４２ｂを有している。ロック解除部４２ａとロック部４２ｂとの間には、左側に往路溝４２ｃが形成され、右側に復路溝４２ｄが形成されている。溝カム４２の内部では、ロック解除部４２ａ，往路溝４２ｃ，ロック部４２ｂ，復路溝４２ｄの各部の境界部に段差が形成されており、ロックピン３６の先端部３６ｂは、ロック解除部４２ａ→往路溝４２ｃ→ロック部４２ｂ→復路溝４２ｄ→ロック解除部４２ａの順でのみ摺動でき、その逆の行程を辿ることができない。
【００５１】
図５では、スライダ４１が付勢部材によって手前側（（ｂ）側）へ移動させられて、筐体本体２２の前壁部２４に突き当てられている。このとき、ロックピン３６の先端部３６ｂは、溝カム４２のロック解除部４２ａ内に位置している。カードＣ１が挿入口２９から挿入され、カードＣ１と共にスライダ４１が奥側（（ａ）側）へ移動すると、ロックピン３６の先端部３６ｂが、溝カム４２の往路溝４２ｃ内を通過し、その後、図６に示すように、先端部３６ｂが溝カム４２のロック部４２ｂに至り、スライダ４１は手前側（（ｂ）側）へ戻らないようにロックされる。
【００５２】
その後、図７に示すように、カードＣ１を押してスライダ４１を短い距離だけ奥側（（ａ）側）へ移動させると、ロックピン３６の先端部３６ｂが、溝カム４２のロック部４２ｂから抜け出て、復路溝４２ｄに案内されて、スライダ４１のロックが解除される。よって、スライダ４１は付勢部材Ｓ１の力で、図５に示す初期位置に復帰し、カードＣ１がカードコネクタ２０の挿入口２９から（ｂ）方向に排出させられる。この間に、ロックピン３６の先端部３６ｂが、復路溝４２ｄからロック解除部４２ａに戻る。
【００５３】
この状態では、摘み凹部９を有するカードＣ１の後端部分が、カードコネクタ２０から突出する。この摘み凹部９に指の爪を掛けるなどして、カードＣ１をカードコネクタ２０から引き出すことが可能となる。
【００５４】
このように、ロック機構３５、スライダ４１、付勢部材Ｓ１などは、カードＣ１を（ｂ）方向に排出させる排出機構を構成している。
【００５５】
図２ないし図７に示すように、スライダ４１の右側部４１Ａには、右内壁面４１ａと一体に形成されて、前記収納領域内に突出する上部案内壁（規制部）４３が設けられている。同様にスライダ４１の左側部４１Ｂには、左内壁面４１ｂと一体に形成されて、前記収納領域内に突出する上部案内壁（規制部）４４が設けられている。また連結部４１Ｃの内面にはストッパ面４５が設けられている。
【００５６】
図４に示すように、底壁部２８の上面２８ｂから上部案内壁４３，４４の下面までの高さ寸法Ｔｂは、図９に示すカードＣ１の薄肉部７の厚さ寸法ｔ２と同じか、またはそれよりもやや広く形成されている。したがって、図５ないし図７に示すように、カードＣ１が、前端部１ｃを前方に向けられ、表面１ａを上に向けた正常な向きで挿入されると、案内溝６，６を形成する左右の薄肉部７，７が上部案内壁４３，４４の下側にそれぞれ入り込んで係合する。
【００５７】
またカードＣ１の前端部１ｃが、ストッパ面４５に当接して、カードＣ１の挿入力で前記スライダ４１が付勢部材Ｓ１の付勢力に抗しながら（ａ）方向に移動させられる。
【００５８】
図２ないし図７に示すように、スライダ４１の右側部４１Ａおよび左側部４１Ｂの手前側（（ｂ）側）の上面には、切欠部４１ｃ，４１ｃがそれぞれ形成されている。また右側部４１Ａおよび左側部４１Ｂには、前後方向に沿って切欠部４１ｃ，４１ｃまで延びるスリット４１ｄ，４１ｄが形成されている。このスリット４１ｄ，４１ｄ内には、保持部材として機能する保持板ばね５２，５２の基端部がそれぞれ固定されている。保持板ばね５２，５２は、板ばね材料としての弾性変形機能を有する金属板で形成されている。
【００５９】
保持板ばね５２，５２の自由端には、保持部５３，５３が一体に形成されており、この保持部５３が、スライダ４１の右内壁面４１ａおよび左内壁面４１ｂよりも幅寸法Ｗａで規定される収納領域内に突出している。保持部５３，５３は、Ｖ字状に曲げられており、手前側（（ｂ）側）に向く部分が傾斜案内部５３ａ，５３ａである。傾斜案内部５３ａは、手前側（（ｂ）側）に向かうにしたがって徐々にカードから離れる向きに傾斜している。保持部５３，５３は奥側（（ａ）側）に向く部分が係合部５３ｂ，５３ｂであり、この係合部５３ｂは、前後方向（（ａ）−（ｂ）方向）に対してほぼ直交する向きに形成されている。
【００６０】
一方の保持部５３はスライダ４１の右内壁面４１ａから左方向へ突出し、他方の保持部５３はスライダ４１の左内壁面４１ｂから右方向へ突出しているが、筐体本体２２の底壁部２８の上面２８ｂから、保持部５３，５３の下縁までの高さ寸法は、上述の底壁部２８の上面２８ｂから上部案内壁（規制部）４３，４４の下面までの高さ寸法Ｔｂ（図４参照）とほぼ同じか、またはＴｂよりも少しだけ高めに設定されている。なお、図２などに示すように、右側部４１Ａ側に設けられた一方の保持部５３の先端は、前壁部２４の段部２４ａ１上に位置している。
【００６１】
図２および図４などに示すように、筐体本体２２の奥側（（ａ）側）には、接続端子５５が設けられている。接続端子５５は、図１０に示したカードＣ１の裏面１ｂに露出している外部接続部５と同じ数で且つ同じピッチで配列している。図２に示すように、個々の接続端子５５の基端側は、底壁部２８の下面２８ａに対してモールドされた片持ち状態で固定されており、（ａ）方向の先端側は上下方向に弾性変形自在な自由端を形成している。なお、接続端子５５の表面は、金などの低抵抗の貴金属材料がメッキされた導電性の金属板で形成されている。
【００６２】
（カードの装着動作）
次に、前記カードコネクタ２０へのカードの装着動作を説明する。
カードが装着されていない状態では、図２に示すように、スライダ４１が挿入口２９側（（ｂ）側）へ移動している。
【００６３】
カードＣ１が、その前端部１ｃが前方に向けられ、表面１ａが上に向けられた正常な姿勢で挿入口２９から挿入されると、カードＣ１のケース１の右側に形成された薄肉部７が、スライダ４１の手前側に設けられている保持板ばね５２，５２で形成された保持部５３，５３の下側を通過し、図４に示す高さ寸法Ｔｂの領域内を奥側（（ａ）側）に向けて移動する。
【００６４】
図５に示すように、さらにカードＣ１を（ａ）方向に押し込むと、左右の案内溝６，６がスライダ４１の上部案内壁４３および上部案内壁４４の下面側を通過し、カードＣ１の前端部１ｃがストッパ面４５に当接する。
【００６５】
この間、カードＣ１の右側では、スライダ４１に設けられた左右の保持板ばね５２，５２の保持部５３，５３は、カードＣ１の右側の案内溝６，６の内部を通過し、すなわち薄肉部７，７の上を通過して、案内溝６，６の後方の段差部６ｂ，６ｂに当たる。右側の保持部５３は段差部６ｂによって右方向へ押され、左側の保持部５３は段差部６ｂによって左方向へ押されるため、保持板ばね５２，５２がそれぞれ側方に変形して、保持部５３，５３はともにスライダ４１の切欠部４１ｃ，４１ｃ内に一旦後退する。
【００６６】
そして、保持部５３，５３は、カードＣ１の右側部１ｅおよび右側部１ｆを距離Ｌ２だけ摺動し、左右に形成されたロック凹部８，８に至ると、保持板ばね５２，５２の弾性復帰力により、保持部５３，５３がロック凹部８，８の内部に係合し、カードＣ１を保持する（図５参照）。
【００６７】
このとき、保持部５３，５３の手前側に向く傾斜案内部５３ａ，５３ａが、同じ向きに傾斜している左右の段差部６ｂ，６ｂを摺動するため、カードＣ１を軽い力で筐体２１内に押し込んで、保持部５３，５３をロック凹部８に係合させることができる。そして、係合後は、保持部５３，５３においてカードの挿入方向に対してほぼ直交する向きに形成された係合部５３ｂ，５３ｂが、ロック凹部８，８の前内端８ｂ，８ｂに掛止されるため、カードＣ１が手前方向（（ｂ）方向）へ抜け出しにくくなる。
【００６８】
図５に示すように、保持部５３，５３がロック凹部８，８に係合した後に、カードＣ１を押し込むと、カードＣ１の前端部１ｃによって、スライダ４１に形成されたストッパ面４５が押され、カードＣ１とスライダ４１とが一体となって奥側へ移動する。そして、カードＣ１が図６に示す装着完了位置に至ると、スライダ４１に形成された溝カム４２のロック部４２ｂが、ロックピン３６の先端部３６ｂに係止されて、スライダ４１がその位置でロックされる。
【００６９】
この状態では、カードＣ１の前端部１ｃ側は、左右両側面に設けられた案内溝６，６の内底面６ｃ，６ｃがスライダ４１の上部案内壁（規制部）４３，４４の下面で押さえつけられることにより、板厚方向への移動が制限される。またカードＣ１の後端部１ｄ側は、ロック凹部８，８の内底端８ｄ，８ｄが保持部５３，５３の係合部５３ｂ，５３ｂで押さえつけられることにより、板厚方向への移動が制限される。このように、カードＣ１を前端部１ｃ側と後端部１ｄ側とで下方に押さえ込むことができるため、移動中のカードＣ１が板厚方向に大きく傾くことを防止することができる。
【００７０】
しかも、カードＣ１の板厚方向の移動が、従来のようにカードＣ１の表面１ａと裏面１ｂが底壁部２８の上面２８ｂと蓋体２３の天井面２３ａという比較的広い範囲で規制されるのではなく、底壁部２８の上面２８ｂとスライダ４１の上部案内壁４３，４４の下面との間という比較的狭い範囲でカードＣ１の左右両側面に設けられた案内溝６，６を規制する構成であるため、移動中のカードＣ１の水平姿勢に対する傾きを従来に比較してより小さくすることができる。よって、挿入されたカードＣ１がコネクタ内に奥部に移動する際に、コネクタ内の他の部材に当接しにくくなり、カードＣ１の挿入動作および排出動作をスムースに行うことが可能となる。
【００７１】
またカードＣ１の後端部１ｄ側をロックする保持板ばね５２，５２は、スライダ４１の右側部４１Ａと左側部４１Ｂとで挟まれた範囲内で前後方向と直交する左右の幅方向に撓み変形する構成である。このため、撓み変形した保持板ばね５２，５２の先端である保持部５３，５３がカードコネクタ２０を形成する筐体２１の外部に突出することがない。すなわち、保持板ばね５２，５２は筐体２１の最大外形寸法以内で変形するようになり、この点でもカードコネクタ２０を小型化することができる。よって、電子機器側では、あらかじめ確保したスペース内にカードコネクタを収めることが可能となる。
【００７２】
筐体本体２２の奥側に設けられた接続端子５５のそれぞれは、図１０に示すカードＣ１の裏面１ｂに露出する外部接続部５のそれぞれに弾圧して接続される。
【００７３】
スライダ４１がロック状態になると、図示しない制御部が、筐体本体２２の接続端子５５およびカードＣ１の裏面１ｂに露出している外部接続部５を介して、カードＣ１内のメモリにアクセスすることにより、メモリ内に情報の書き込みが行われ、またはメモリ内に書き込まれている情報の読み出しが行われる。
【００７４】
なお、制御部はカードコネクタの内部に設けられていてもよいし、外部に設けられていてもよい。
【００７５】
なお、上記実施の形態では、カードＣ１が保持する装填部材がカードＣ１とともに移動可能なスライダ４１であるとして説明したが、本発明はこれに限られるものではなく、装填部材はカードＣ１とともに移動を伴わないものであってもよい。
【００７６】
例えば、カードコネクタを車載用の電子機器に採用した場合には、走行時の振動によって挿入されているカードＣ１が板厚方向へ移動させられるが、装填部材（スライダ４１）がカードＣ１とともに移動を伴わないカードコネクタである場合には、カードＣ１の板厚方向の移動をより確実に規制することができるため、振動の影響を受けることなく常にカードＣ１とカードコネクタとの正常な接続状態を維持することが可能となる。
【図面の簡単な説明】
【００７７】
【図１】本発明の実施の形態を示すカードコネクタの外観を示す斜視図、
【図２】蓋体を外した状態を示すカードコネクタの斜視図、
【図３】カードコネクタの分解斜視図、
【図４】図２のＩＶ−ＩＶ線で切断した状態を示す断面図、
【図５】蓋体を外したカードコネクタのイジェクト状態を示す平面図、
【図６】蓋体を外したカードコネクタのロック状態を示す平面図、
【図７】蓋体を外したカードコネクタのオーバーストローク状態を示す平面図、
【図８】カードの平面図、
【図９】カードの左側面図、
【図１０】カードを斜め下側から示す斜視図、
【符号の説明】
【００７８】
Ｃ１  カード
１ａ  ケースの表面
１ｂ  ケースの裏面
１ｃ  前端部
１ｄ  後端部
１ｅ  右側部
１ｆ  左側部
５  外部接続部
６  案内溝
６ｂ  段差部
７  薄肉部
８  ロック凹部
２０  カードコネクタ
２１  筐体
２２  筐体本体
２３  蓋体
２４  前壁部
２４ｂ  右案内面
２３ａ  天井板
２７  左壁部
２７ｂ  左案内面
２９  挿入口
３５  ロック機構
３６  ロックピン
４１  スライダ（装填部材）
４１Ａ  右側部
４１Ｂ  左側部
４１Ｃ  連結部
４１ａ  右内壁面
４１ｂ  左内壁面
４２  溝カム
４３  上部案内壁（規制部）
４４  上部案内壁（規制部）
５２  保持板ばね（保持部材）
５３  保持部
５３ａ  傾斜案内部
５３ｂ  係合部
５５  接続端子
Ｓ１  付勢部材
【図１】
2009140890.tif 000003
【図２】
2009140890.tif 000004
【図３】
2009140890.tif 000005
【図４】
2009140890.tif 000006
【図５】
2009140890.tif 000007
【図６】
2009140890.tif 000008
【図７】
2009140890.tif 000009
【図８】
2009140890.tif 000010
【図９】
2009140890.tif 000011
【図１０】
2009140890.tif 000012